(57)【要約】【課題】内部からの液漏れに対して、リチウム電池への液体の浸入を防ぎ、衝撃によりワイヤレスリモコン装置が変形した場合であっても簡易な構造で電池への液体の浸入防止を維持することができるワイヤレスリモコン装置を提供する。【解決手段】本発明に係るワイヤレスリモコン装置は、上面，下面，上端側面及び下端側面を有する筐体と、筐体の上面に位置し、電子機器の運転を操作する操作部と、筐体の下端側面よりも上端側面に近い位置にあり、操作部からの信号を電子機器に送信する送信部と、筐体内であって、電源として用いることができる電池を収納する電池ソケットと、筐体内であって、電源として用いることができるリチウム電池と、を備え、リチウム電池の下面は、電池ソケットの下方にある筐体の下面又は電池ソケットカバーよりも高く、リチウム電池の下端側面は、電池ソケットの側方に位置する筐体の下端側面よりも上端側面方向に位置する。【選択図】  図５
2011041030.tif 000002
【特許請求の範囲】
【請求項１】
上面，下面，上端側面及び下端側面を有する筐体と、
前記筐体の上面に位置し、電子機器の運転を操作する操作部と、
前記筐体の下端側面よりも上端側面に近い位置にあり、前記操作部からの信号を前記電子機器に送信する送信部と、
前記筐体内であって、電源として用いられる電池を収納する電池ソケットと、
前記筐体内であって、電源として用いられるリチウム電池と、を備え、
前記リチウム電池の下面は、前記電池ソケットの下方に位置する前記筐体の下面又は電池ソケットカバーよりも高く、
前記リチウム電池の下端側面は、前記電池ソケットの側方に位置する前記筐体の下端側面よりも、前記筐体の上端側面方向に位置するワイヤレスリモコン装置。
【請求項２】
請求項１において、前記リチウム電池の下面は前記電池ソケットの下面よりも高く、
前記リチウム電池の下端側面は、前記電池ソケットの下端側面よりも前記筐体の上端側面方向に位置するワイヤレスリモコン装置。
【請求項３】
請求項１又は２において、前記リチウム電池は前記筐体の下面及び上端側面と空間を介して位置するワイヤレスリモコン装置。
【請求項４】
請求項１乃至３の何れかにおいて、前記筐体の下面であって前記電池ソケットと前記電池との間に指掛け部を備えるワイヤレスリモコン装置。
【請求項５】
請求項４において、前記指掛け部は前記筐体の下面から前記筐体の上面へ向かうように形成されたワイヤレスリモコン装置。
【請求項６】
請求項５において、前記筐体内にあって前記リチウム電池の上方に位置し、ワイヤレスリモコン装置を統括して制御する基板を備え、
前記指掛け部が前記筐体の下面から前記基板に至るワイヤレスリモコン装置。
【請求項７】
請求項１乃至５の何れかにおいて、前記筐体内にあって前記リチウム電池の上方に位置し、ワイヤレスリモコン装置を統括して制御する基板を備えるワイヤレスリモコン装置。
【請求項８】
請求項１乃至７の何れかに記載のワイヤレスリモコン装置と、
前記ワイヤレスリモコン装置の前記送信部からの信号を受信する受光部と、
前記受光部で受信した制御情報に基づいて室外機及び室内機の運転を制御するマイコンと、を備える空気調和機。
【発明の詳細な説明】
【技術分野】
【０００１】
本発明は、空気調和機，テレビ等の家庭用電化製品その他の電子機器を遠隔操作するワイヤレスリモコン装置に関する。
【背景技術】
【０００２】
空気調和機の温度調節や、テレビのチャンネル操作等を遠隔操作できるワイヤレスリモコン装置が広く普及している。遠隔操作を行うためには、電源が必要であり、家庭用電化製品のワイヤレスリモコン装置には電池が内蔵されている。内蔵されている電池の充電又は取り替える頻度を少なくするために、放電末期まで電圧降下が少なく、単位体積あたりのエネルギー密度が大きいリチウム電池が注目されており、携帯電話やカメラやパソコンなどの電子機器の電源として用いられている。
【０００３】
しかし、一般的に、リチウム電池については、液体の浸入により負荷短絡経路が作られてしまう可能性があること、水と化学反応を起こす可能性があることが知られている。にも拘わらず、電子機器のワイヤレスリモコン装置は液体の浸入に対してワイヤレスリモコン装置の筐体以外に液体の浸入を防ぐ手段を設けていないことが一般的であった。
【０００４】
対して、電池室を密閉し、液体がリチウム電池へ浸入することを防ぐ方法がある（例えば、特許文献１参照）。特許文献１は、電池室の電池収容部を筐体，電池蓋とパッキンにより密閉する浴室用リモートコントローラを開示している。密閉構造により、電池収納部内は確実に水密状態とされる。特許文献１に開示された方法によれば、液体がリチウム電池へ浸入することを防ぐことができる。
【先行技術文献】
【特許文献】
【０００５】
【特許文献１】特開平６−３３５５０７号公報
【発明の概要】
【発明が解決しようとする課題】
【０００６】
特許文献１は、電池室の電池収容部を完全に密閉することで、外部から浸入した液体に加え、ワイヤレスリモコン装置内部から漏れた液体が、リチウム電池へ浸入することを防ぐ。
【０００７】
しかし、衝撃や劣化によりワイヤレスリモコン装置が変形し、密閉構造が崩れてしまう可能性がある。対策として、特許文献１は２重にパッキンを設けるなど複雑な構造を選択している。
【０００８】
浴室内で使用するワイヤレスリモコン装置の場合は、外部から液体がワイヤレスリモコン装置へ浸入する環境にあるが、室内で使用するワイヤレスリモコン装置の場合は、外部から液体がワイヤレスリモコン装置に浸入する可能性は少ない。すなわち、ワイヤレスリモコン装置内部からの液漏れに対する対策のみを行えば、リチウム電池の内部短絡と化学反応を起こす可能性を排除することができる。
【０００９】
本発明の目的は、内部からの液漏れに対して、リチウム電池への液体の浸入を防ぎ、衝撃や繰返し荷重などによりワイヤレスリモコン装置が変形した場合であっても簡易な構造で電池への液体の浸入防止を維持することができるワイヤレスリモコン装置を提供することである。
【課題を解決するための手段】
【００１０】
上面，下面，上端側面及び下端側面を有する筐体と、前記筐体の上面に位置し、電子機器の運転を操作する操作部と、前記筐体の下端側面よりも上端側面に近い位置にあり、前記操作部からの信号を前記電子機器に送信する送信部と、前記筐体内であって、電源として用いることができる電池を収納する電池ソケットと、前記筐体内であって、電源として用いることができるリチウム電池と、を備え、前記リチウム電池の下面は、前記電池ソケットの下方にある前記筐体の下面又は電池ソケットカバーよりも高く、前記リチウム電池の下端側面は、前記電池ソケットの側方に位置する前記筐体の下端側面よりも上端側面方向に位置するワイヤレスリモコン装置。
【発明の効果】
【００１１】
ワイヤレスリモコン装置を筐体の下面が接するようにテーブル等に置いた場合、電池ソケットに収納された電池から漏れた液体は電池ソケットの下方にある筐体に流れる。電池ソケットの下方にある筐体の下面よりもリチウム電池の下面は高い位置にあるため、重力の作用によりリチウム電池への液体の浸入を防ぐことができる。
【００１２】
又、ワイヤレスリモコン装置を筐体の下端側面が下になるように、壁などにあるワイヤレスリモコン装置収容部に設置した場合、電池ソケットに収納された電池から漏れた液体は電池ソケットの側方にある筐体の下端側面に流れる。電池ソケットの側方にある筐体の下端側面よりもリチウム電池の下端側面は高い位置にあるため、重力の作用によりリチウム電池への液体の浸入を防ぐことができる。
【００１３】
さらに、電池ソケットの下方にある筐体の下面とリチウム電池の下面との高さ方向の距離を衝撃や劣化による高さの変化量よりも長くすることで、変形しても電池ソケットの下方にある筐体の下面がリチウム電池の下面よりも高くなることを防止することができる。
【００１４】
以上説明したように、本発明のワイヤレスリモコン装置によれば、電池ソケットに設置された電池から漏れた液体が、リチウム電池へ浸入することを防止し、衝撃や劣化によりワイヤレスリモコン装置が変形した場合であっても簡易な構造でリチウム電池への液体の浸入防止構造を維持することができる。
【図面の簡単な説明】
【００１５】
【図１】空気調和機の構成図。
【図２】空気調和機の室内機の中央断面図。
【図３】ワイヤレスリモコン装置外観正面図。
【図４】ワイヤレスリモコン装置外観背面図。
【図５】ワイヤレスリモコン装置側面断面模式図。
【図６】ワイヤレスリモコン装置側面断面模式図。
【図７】ワイヤレスリモコン装置側面断面模式図。
【図８】ワイヤレスリモコン装置側面断面模式図。
【図９】壁に掛けた状態のワイヤレスリモコン装置側面断面模式図。
【発明を実施するための形態】
【００１６】
以下、本発明に係る第１の実施例を図１乃至図５及び図９に基づき説明する。まず、空気調和機の全体構造を、図１及び図２を用いて説明する。図１は空気調和機の構成図である。図２は室内機の中央断面図である。
【００１７】
空気調和機１は、室内機２と室外機６を接続配管８でつなぎ、室内を空気調和する。室内機２は筐体ベース２１に室内熱交換器３３，送風ファン３１１，露受皿３５等を取付け、化粧枠２３で覆い、化粧枠２３の前面に前面パネル２５を取付けている。化粧枠２３には室内空気を吸い込む空気吸込み口２７と、温湿度が調和された空気を吹き出す空気吹出し口２９とが上下に設けられている。又、前面パネル２５の正面方向右側下部には運転状況を表示する表示部３９７と、別体のワイヤレスリモコン装置５からの赤外線の操作信号を受ける受光部３９６が配置されている。
【００１８】
室内機２は、内部の電装品ボックスに制御基板を備え、制御基板にマイコンが設けられる。マイコンは図示しない室内温度センサー，室内湿度センサー等の各種のセンサーからの信号を受け、ワイヤレスリモコン装置５からの操作信号を受光部３９６で受けると共に、室内送風機３１１，可動パネル駆動モータ，上下風向板駆動モータ，左右風向板駆動モータ等を制御し、且つ、室外機との通信を司るなど、室内機２を統括して制御する。
【００１９】
この空気調和機１を運転する時には、ワイヤレスリモコン装置５を操作し、所望の冷房，暖房，除湿の運転を行う。
【００２０】
冷房の運転の場合は、室外機６内にある熱交換器が凝縮器として機能し、室内機２内にある室内熱交換器３３が蒸発器として機能する。室外機６内にある圧縮機で冷媒を圧縮し、高温高圧となった冷媒を凝縮器として機能する室外熱交換器へ流し、外気と熱交換させることで、基本的に冷媒は気体から液体へ相変化する。その後、液体となった冷媒を室外機６内にある電子膨張弁を通過させることで所望の圧力まで減圧させ、接続配管８を通じて、蒸発器として機能する室内熱交換器３３へ冷媒が流れる。室内熱交換器３３でこの室内温度よりも低温となった冷媒と室内空気を熱交換させることで、室内熱交換器３３を通過する室内空気の温度を下げ、室内を所望の温度へ空調する。室内熱交換器３３で基本的に冷媒は二相状態から気体へ相変化する。その後、冷媒は接続配管８を通じて、室外機６へ循環する。
【００２１】
暖房運転の場合は、室外熱交換器は蒸発器、室内熱交換器３３は凝縮器として作用する。室内熱交換器３３で熱交換して暖められた温風を室内の低い位置に流すために、上側上下風向板２９１，下側上下風向板２９２は冷房運転の場合に比べ、基本的には下方向に傾いている。しかし、ワイヤレスリモコン装置５からの指示や運転モードに応じて、上側上下風向板２９１，下側上下風向板２９２の向きは変化する。
【００２２】
除湿運転の場合は、室内熱交換器３３を熱的に二分割し、室内熱交換器３３の一方を蒸発器、室内熱交換器３３の一方と室外熱交換器を凝縮器とする。このような構成とし、圧縮機，二分割した室内熱交換器の間に配置されて減圧作用を行う除湿用減圧装置，室外熱交換器に通風するファンと室内熱交換器に通風するファンを制御することで、冷房ぎみ除湿運転，暖房ぎみ除湿運転，等温ぎみ除湿運転を実現することができる。
【００２３】
次に、図３と図４を参照して、ワイヤレスリモコン装置５の外観と内部の構造を説明する。図３はワイヤレスリモコン装置外観正面図である。図４はワイヤレスリモコン装置外観背面図である。
【００２４】
図３に示すようにワイヤレスリモコン装置５はワイヤレスリモコン装置受光部４０１，ソーラーパネル４０２，ＬＣＤモジュール４０３，操作ボタン４０４を有している。ワイヤレスリモコン装置受光部４０１は、受光しやすいようにワイヤレスリモコン装置５の上端に位置している。ソーラーパネル４０２は、ワイヤレスリモコン装置５の待機時に必要となる電力を供給する。ＬＣＤモジュール４０３は、表示部配置面の周囲に縁体を残して、その面積一杯に配置される縦長の大型液晶表示装置で構成される。操作ボタン４０４は、操作ボタン配置面の周囲に縁体を残して配置される。
【００２５】
さらに、ワイヤレスリモコン装置５は、図４に示すようにサーミスタ用通風穴４１０，乾電池ソケットカバー４１１を有している。サーミスタ用通風穴４１０は、周囲空気を循環させるために設けてあり、またワイヤレスリモコン装置５自体からの熱を逃がし、ワイヤレスリモコン装置５周囲の温度を計測するワイヤレスリモコン装置用室温サーミスタの誤差を減らす効果がある。
【００２６】
又、電池ソケットカバー４１１を取り外すことで、乾電池ソケット４２２に乾電池を設置又は交換することができる。
【００２７】
本発明に係るワイヤレスリモコン装置（本実施の形態１）を図５及び図９に示す。図５は実施例の形態１におけるリモコン側面断面模式図である。図９は本実施の形態１における壁に掛けた状態のワイヤレスリモコン装置側面断面模式図である。本実施の形態１は、筐体下面４０６が接するようにワイヤレスリモコン装置５をテーブル等に置いた時、ワイヤレスリモコン装置内部にある電池から漏れた液体がリチウム一次電池４３１に流入しない発明に係わる。
【００２８】
ワイヤレスリモコン装置の筐体は、筐体上面４０５，筐体下面４０４，筐体上端側面４０７及び筐体下端側面４０８を備えている。電子機器の運転を操作する操作ボタン４０４と、電子機器の運転を操作する操作部は筐体上面４０５に位置している。筐体下面４０６は筐体上面４０５の裏に位置している。筐体側面は筐体上面４０５と筐体下面４０６以外の面であり、筐体上端側面４０７は送信部４０１を備えている。筐体下端側面４０８は筐体上端側面４０７の裏に位置している。
【００２９】
ワイヤレスリモコン装置５は電源の一つとしてリチウム一次電池４３１、もう一つの電源としての電池を収容する電池ソケット４２２を備えている。
【００３０】
図５に示すように、筐体下面４０６を下にして、ワイヤレスリモコン装置５を水平なテーブル等に置いた場合、リチウム一次電池４３１の下面と、筐体下面４０６のうち電池ソケット４２２の下方にある箇所の高さを比べたら、リチウム一次電池４３１の下面が高い位置にある。この構成により、電池ソケット４２２に設置された電池から漏れた液体は電池ソケット４２２の下方にある筐体下面に流れる。電池ソケット４２２の下方にある筐体下面よりもリチウム一次電池４３１は高い位置にあるため、重力の作用によりリチウム一次電池４３１への液体の浸入を防ぐことができる。
【００３１】
又、図９に示すように、リチウム一次電池４３１の下端側面は、電池ソケット４２２の側方に位置する筐体下端側面４０８よりも筐体上端側面４０７方向に位置する。ワイヤレスリモコン装置５を筐体下端側面４０６が下になるように、壁などにあるワイヤレスリモコン装置収容部に設置した場合、電池ソケット４２２に収納された電池から漏れた液体は電池ソケット４２２の側方にある筐体下端側面４０８に流れる。電池ソケット４２２の側方にある筐体下端側面４０８よりもリチウム一次電池４３１の下端側面は高い位置にあるため、重力の作用によりリチウム一次電池４３１への液体の浸入を防ぐことができる。
【００３２】
又、電池ソケット４２２の下方にある筐体下面とリチウム一次電池４３１の下面との高さ方向の距離を衝撃や劣化などによる筐体下面に対して垂直方向の変化量よりも長くすることで、変形しても電池ソケット４２２の下方にある筐体下面がリチウム一次電池４３１の下面よりも高くなることを防止することができる。
【００３３】
さらに、図５に示すように、リチウム一次電池４３１の下面が電池ソケット４２２の下面よりも高い位置にある。この構成により、ワイヤレスリモコン装置５を筐体下面４０６が接するようにテーブル等に置いた場合、リチウム一次電池４３１の下面が電池ソケット４２２の下面よりも、高い位置にあるため、電池から漏れた液体の流路を考えずとも、重力の作用により確実に電池ソケット４２２に設置される電池から漏れた液体がリチウム一次電池４３１に流れない。
【００３４】
又、図９に示すように、リチウム一次電池４３１の下端側面は、電池ソケット４２２の下端側面よりも筐体上端側面４０７方向に位置する。この構成により、筐体下端側面４０８を下にして壁に設置した場合、リチウム一次電池４３１の下端側面が電池ソケット４２２の下端側面よりも、筐体上端側面４０７方向に位置するため、重力の作用により確実に電池ソケット４２２に設置された電池から漏れた液体がリチウム一次電池４３１に流れない。
【００３５】
さらに、図５に示すように、リチウム一次電池４３１の下面は、筐体下面４０６と空間を介して位置する。この構成により、万が一、電池ソケット４２２に設置された電池から液体が漏れ、ワイヤレスリモコン装置５を筐体下端側面４０８を上方向に傾けた場合においても、液体は筐体下面４０６を流れ、リチウム一次電池４３１は筐体下面４０６及び筐体上端面４０７と空間を介して位置するため、漏れた液体がリチウム一次電池４３１へ浸入することを防ぐことができる。
【００３６】
又、筐体下面４０６が接するようにワイヤレスリモコン装置５を水平なテーブル等に置いた場合、ワイヤレスリモコン装置５を統括して制御する基板４４３がリチウム一次電池４３１の上方に位置する構成を取っている。このような構成により、リチウム一次電池４３１の上方から液体が筐体内に流れ込んだ場合も基板４４３が屋根となり、直接電池へ液体が流れることがない。電池ソケット４２２の下方にある筐体下面がリチウム一次電池４３１の下面よりも低い位置にあるため、リチウム一次電池４３１よりも先に電池ソケット４２２の下方にある筐体下面へ液体が流れる。そのため、万が一、筐体上面４０５を通り抜け、リチウム一次電池４３１の上方から液体が浸入したときも、確実にリチウム一次電池４３１への液体の浸入を防ぐことができる。
【００３７】
又、図５に示すように、筐体下面４０６は指掛け部４２７を備えている。この指掛け部４２７に指を位置させることで、保持性を向上させることができる。本実施例は、リチウム一次電池４３１と電池ソケット４２２の間で、筐体下面４０６上に指掛け部４２７を設けている。この構成により、筐体下面４０６をテーブルや壁に接触させてワイヤレスリモコン装置５を置いた状態で、電池ソケット４２２側からリチウム一次電池４３１へ流れる液体を指掛け部４２７がせき止めるため、リチウム一次電池４３１への浸入を防ぐ。
【００３８】
又、液体をせき止める固体対象物の代わりとして指掛け部４２７を利用しているため、小型化，液漏れ対策のための製造の複雑化を抑止できる。
【００３９】
以下、本発明に係る第２の実施例を図６に基づき説明する。図６は実施例の形態２におけるリモコン側面断面模式図である。本実施の形態２は、本実施の形態１に対して、筐体下面４０６を下にしてテーブル等に置いた場合、リチウム一次電池４３１の下面が電池ソケット４２２の下方にある筐体下面４０６よりも低い。しかし、リチウム一次電池４３１は筐体下面４０６と空間を介して位置するため、万が一ワイヤレスリモコン装置５に液体が浸入した場合もリチウム一次電池４３１と筐体下面４０６との間にある空間に液体が溜まり、リチウム一次電池４３１への液体の浸入を防ぐことができる。
【００４０】
以下、本発明に係る第３の実施例を図７に基づき説明する。図７は実施例の形態３におけるリモコン側面断面模式図である。本実施の形態３は、本実施の形態１に対して、筐体下面４０６は筐体上面４０５から筐体下面４０６方向に凸の凸部４４７を、リチウム一次電池４３１と電池ソケット４２２の間に備えている。又、筐体下面４０６は突起部４４９を備え、筐体下面４０６にリチウム一次電池４３１よりも低い位置に液体逃げ穴４４８を備えている。
【００４１】
電池ソケット４２２側からリチウム一次電池４３１へ流れる液体を凸部４４７が作った液溜めに液体を溜めることで、リチウム一次電池４３１への浸入を防ぐことができる。
【００４２】
又、筐体下面４０６を下にしてテーブル等に置いた状態で、リチウム一次電池４３１よりも低い位置に液体逃げ穴４４８を設けており、万が一筐体下面４０６に液体が溜まったときも、リチウム一次電池４３１が浸水する前に液体逃げ穴４４８から液体が流出する。突起部４４９を備えているため、テーブルなどの面が液体逃げ穴４４８を塞ぐこともない。
【００４３】
又、筐体下面４０６と前記固体対象物又は前記凸部若しくは前記凹部が作る液溜め部に穴を備えることで、液溜め部に溜めた液体を穴から流出させることができ、より多くの液体がワイヤレスリモコン装置５内部に流入した場合にもリチウム一次電池４３１への浸入を防ぐことができる。
【００４４】
以下、本発明に係る第４の実施例を図８に基づき説明する。本実施の形態４は、本実施の形態１に対して、壁としての固体対象物の役割も担う指掛け部４２７が基板４４３に接しており、筐体下面４０６から基板４４３に亘って仕切る。図８は実施例の形態４におけるリモコン側面断面模式図である。
【００４５】
指掛け部４２７がリチウム一次電池４３１が位置する筐体内部の空間と電池ソケット４２２が位置する筐体内部の空間を仕切っているため、ワイヤレスリモコン装置５をどの向きで置いた場合も、電池ソケット４２２側からリチウム一次電池４３１へ液体が流れない。
【００４６】
又、リチウム一次電池保護部材４３０は難燃性であり、基板４４３はワイヤレスリモコン装置５の筐体に比べ、耐熱性のある部材を用いている。そのため、万が一、リチウム一次電池４３１が発熱したときも、リチウム一次電池保護部材４３０と基板４４３が防御壁となり、熱がリチウム一次電池４３１からワイヤレスリモコン装置５全体へ伝わりづらい。
【００４７】
従来、電池の密閉以外に液体の浸入を防ぐ手段は存在しなかった。本発明は密閉以外の新たな液体の浸入を防ぐ手段を提供するものである。又、本発明と密閉による液体の浸入防止とを併用することも可能である。
【００４８】
又、リチウム一次電池４３１をリモコン装置５の電源として本実施例を説明したが、リチウム一次電池４３１の代わりにリチウムイオン電池，リチウム・空気電池，酸化銀電池，空気亜鉛電池及びニッケル水素電池を用いてもよい。
【符号の説明】
【００４９】
１  空気調和機
２  室内機
５  ワイヤレスリモコン装置
６  室外機
８  接続配管
２１  筐体ベース
２３  化粧枠
２７  空気吸込み口
２９  空気吹出し口
３３  室内熱交換器
２９０  吹出し風路
２９１  上側上下風向板
２９２  下側上下風向板
３１１  室内送風機
３９６  本体受光部
３９７  表示装置
４０１  ワイヤレスリモコン装置受光部
４０２  ソーラーパネル
４０３  ＬＣＤモジュール
４０４  操作ボタン
４０５  筐体上面
４０６  筐体下面
４０７  筐体上端側面
４０８  筐体下端側面
４１０  サーミスタ用通風穴
４１１  乾電池ソケットカバー
４２２  乾電池ソケット
４２７  指掛け部
４３０  リチウム一次電池側方配置保護部材
４３１  リチウム一次電池
４３３  リチウム一次電池下方配置保護部材
４３４  リチウム一次電池斜方配置保護部材
４３５  リチウム一次電池保護部材
４４１  温度ヒューズ固定部
４４２，４４５  電気２重層コンデンサ
４４３  基板
４４４  温度ヒューズ
４４６  壁
４４７  凸部
４４８  液体逃げ穴
４４９  突起部
【図１】
2011041030.tif 000003
【図２】
2011041030.tif 000004
【図３】
2011041030.tif 000005
【図４】
2011041030.tif 000006
【図５】
2011041030.tif 000007
【図６】
2011041030.tif 000008
【図７】
2011041030.tif 000009
【図８】
2011041030.tif 000010
【図９】
2011041030.tif 000011